(57)【要約】  ベッド（１）内の子供の動作に基づき子供の睡眠挙動についての洞察をもたらす乳児モニタリングシステム（１０）が提供される。乳児モニタリングシステム（１０）は、ビデオカメラ（１１）と、動き推定器（２１）と、観察される動作を事象に分類するプロセッサ（２２）とを含む。一連の事象は子供の睡眠挙動についての洞察を親に与える。
2017503566.tif 000002
【特許請求の範囲】
【請求項１】
ベビーベッド内の乳児をモニタリングする乳児モニタリング装置であって、
乳児の一連の動きを検出するためのビデオ信号をもたらすように構成されるビデオカメラと、
該動作センサから受信する前記一連の動きを分類する動き推定器と、
該動き推定器から受信する小振幅動作、中間振幅動作、及び大振幅動作に基づき、事象を分類するプロセッサとを含み、
当該乳児モニタリング装置は、前記動き推定器を含むＭＰＥＧビデオエンコーダを含み、前記動き推定器は、圧縮中に前記ＭＰＥＧビデオエンコーダによって前記ビデオ信号の上で実施される動き推定に基づき、前記動作センサから受信する前記一連の動きを、小振幅動作、中間振幅動作、及び大振幅動作に分類するように構成される、
乳児モニタリング装置。
【請求項２】
動き推定器は、乳児による呼吸を、小振幅動作として分類し、前記ベビーベッド内の乳児の体の動きを、中間振幅動作として分類し、前記ベビーベッドに出入りする乳児の体の動きを、大振幅動作として分類する、請求項１に記載の乳児モニタリング装置。
【請求項３】
当該乳児モニタリングシステムは、音センサを含み、前記プロセッサは、前記音センサから受信する音に基づき、並びに前記動き推定器から受信する一連の小振幅動作、中間振幅動作、及び振幅動作に基づき、事象を分類する、請求項２に記載の乳児モニタリング装置。
【請求項４】
前記プロセッサは、他の生命徴候の変化を用いて前記事象を決定するように構成される、請求項２に記載の乳児モニタリング装置。
【請求項５】
前記プロセッサは、小振幅動作、後続の中間振幅動作、及び後続の小振幅動作のシーケンスを、ベッド内にいる乳児及び落ち着きのない動き事象として分類するように構成される、請求項１、２又は３に記載の乳児モニタリング装置。
【請求項６】
前記プロセッサは、動作の不存在、後続の大振幅動作、及び後続の小振幅動作又は中間振幅動作のシーケンスを、乳児がベッドに置かれた事象として分類するように構成される、請求項１、２又は３に記載の乳児モニタリング装置。
【請求項７】
前記プロセッサは、小振幅動作又は中間振幅動作、後続の大振幅動作、及び後続の動作の不存在のシーケンスを、乳児がベッドから取り出された事象として分類するように構成される、請求項１、２又は３に記載の乳児モニタリング装置。
【請求項８】
前記プロセッサは、一連の小振幅動作及び中間振幅動作を、乳児がベッド内にいる事象として分類するように構成される、請求項１、２又は３に記載の乳児モニタリング装置。
【請求項９】
前記プロセッサは、中間振幅動作及び後続の他の中間振幅動作のシーケンスを、乳児がベッド内で目を覚ましている事象として分類するように構成される、請求項１、２又は３に記載の乳児モニタリング装置。
【請求項１０】
前記プロセッサは、分類事象のシーケンスに基づく統計をもたらすように構成される、請求項１乃至９のうちのいずれか１項に記載の乳児モニタリング装置。
【請求項１１】
前記プロセッサは、分類動作のシーケンスに基づく統計をもたらすように構成される、請求項１乃至１０のうちのいずれか１項に記載の乳児モニタリング装置。
【請求項１２】
前記プロセッサは、事象を記録するように構成される、請求項１乃至１１のうちのいずれか１項に記載の乳児モニタリング装置。
【発明の詳細な説明】
【技術分野】
【０００１】
本発明は乳児モニタリング装置（乳児監視装置）に関する。
【背景技術】
【０００２】
子供の睡眠挙動は子供の精神的及び身体的な成長に極めて重要であることが認識されている。従って、子供の睡眠挙動に関する客観的データ(objective  data)を得る必要が増大している。増大する必要は医療処置において感じられているのみならず、日常生活において親によっても感じられている。更に、親は子供の睡眠律動（リズム）における洞察を得たい。残念ながら、非医療環境において客観的な睡眠に関係するデータを得るのは容易でない。子供がベッドにいるときに、親は常に子供から眼を離さないでいることはできず、子供から眼を離さないでいることができるとしても、親は、観察される睡眠状態を正しく追跡するよう十分に注意が喚起されていないことが多く、夜間は特にそうである。
【０００３】
一般的に、親は子供がどれぐらい長く眠っているか並びに彼らの睡眠挙動及び進展がどのようなものであるかを決定するのが困難であると感じる。
【０００４】
ＵＳ２００７／０１５６０６０Ａ１は、眠っている対象のライブ画像を記録するビデオレコーダを含み、記録される画像を携帯装置に実時間において送信する送信器と、送信器と通信する演算装置（コンピュータ装置）とを含み、送信される画像を実時間において受信する受信器と、受信する画像を実時間において解析し且つ対象の状態についての情報を実時間において自動的に推論するプロセッサと、対象の状態についてプロセッサによって推論される情報を実時間において表示するモニタとを含む、睡眠を自動的にモニタリングする装置を開示している。
【発明の概要】
【発明が解決しようとする課題】
【０００５】
子供の睡眠挙動及び睡眠進展の客観的な表示(objective  representation)を提供することが本発明の目的である。
【課題を解決するための手段】
【０００６】
本発明によれば、この目的は、ベビーベッド内の乳児をモニタリングする乳児モニタリング装置（乳児監視装置）が、乳児の一連の動き（動きのシーケンス）を検出するためのビデオ信号をもたらすように構成されるビデオカメラと、ＭＰＥＧビデオエンコーダであって、動作センサから受信する一連の動きを、小振幅動作（動き）、中間振幅動作（動き）、及び大振幅動作（動き）（分類動作）に分類するために、圧縮中にＭＰＥＧビデオエンコーダによってビデオ信号上で実施される動き推定に基づき一連の動きを分類するように構成される動き推定器を含む、ＭＰＥＧビデオエンコーダと、動き推定器から受信する一連の小振幅動作、中間振幅動作、及び大振幅動作（小振幅動作、中間振幅動作、及び大振幅動作のシーケンス）に基づき、事象を分類するプロセッサとを含む、ことにおいて実現される。ビデオカメラは、子供又は乳児の動きを検出するように構成される。ＭＰＥＧビデオエンコーダは、動き推定器を含み、動き推定器は、ビデオカメラによって検出される動きを用いて、圧縮中にＭＰＥＧビデオエンコーダによってビデオ信号上で実施される動き推定に基づき一連の動きを分類し、それらの動きを小振幅動作、中間振幅動作、又は大振幅動作として分類する。動き推定器は、動作の振幅に基づき幾つかの分類動作の間を区別する。ビデオ信号の圧縮中に動き振幅をＭＰＥＧビデオエンコーダから容易に抽出し得る。何故ならば、ＭＰＥＧビデオエンコーダ中の動き推定器は、動きベクトルを計算するからである。これらの動きベクトルから、動き振幅又は分類動作のみが、本発明の目的のために格納される必要があり、ＭＰＥＧビデオ符号化中に動き推定器によって同様に通常得られるような運動ベクトルの方向は格納される必要がない。引き続き、動き推定器によって分類される分類動作は、一連の小振幅動作、中間振幅動作、及び大振幅動作を事象として分類するために、プロセッサに送られる。事象は子供の睡眠挙動についてのプロセッサの解釈である。子供の動きを測定し且つ解析することによって、子供の睡眠挙動に関する情報を得ることができる。
【０００７】
本発明の有利な実施態様は、動き推定器が、乳児による呼吸を、小振幅動作として分類してよく、ベビーベッド内の乳児の体の動きを、中間振幅動作として分類してよく、ベビーベッドに出入りする乳児の体の動きを、大振幅動作として分類してよいことである。小振幅動作、中間振幅動作、及び大振幅動作における分類は、子供の睡眠挙動についての洞察を親にもたらす。胸部の動き、即ち、呼吸は、小振幅動作として分類されてよい。小振幅動作は、静かな睡眠を表すことがある。何故ならば、体の動きが動作センサによって検出されないからである。中間振幅動作は、活動的な睡眠又は覚醒(alertness)を表すことがある。覚醒は、発声(vocalization)を含んでよい。呼吸動作は存在するが、体の動きによって目立たなくされる。大振幅動作は、親が乳児をベッドから取り出すこと又は乳児をベッド内に置くことを表すことがある。小振幅動作及び中間振幅動作は、大振幅動作によって目立たなくされる／覆される。明瞭性のために、動きが検出されないならば、動き推定器は動作の不存在を分類する。
【０００８】
好適な実施態様において、乳児モニタリング装置は、音センサを含み、プロセッサは、音センサから受信する情報に基づいて、事象を同様に分類する。動作センサの隣にある音センサは、システムが、動作に加えて、音をモニタリングすることを可能にする。音センサは、プロセッサに追加的な入力をもたらす。結果的に、プロセッサは、動き推定器から受信する小振幅動作、中間振幅動作、及び大振幅動作に基づき、並びに音センサから受信する音に基づき、事象を分類する。動作センサのみを含む乳児モニタリングシステムは、分類動作の間でベッド内の乳児の挙動を区別し得るので、乳児モニタリングシステムは、乳児が静かに横たわっているか或いは動いているかを決定する。プロセッサの二重入力は、乳児モニタリングシステムが、５つの挙動状態、即ち、静かな睡眠、活動的な睡眠、静かな覚醒、活動的な覚醒、及び泣いている状態の間を区別するのを可能にする。よって、音センサのような、追加的なセンサの存在は、乳児モニタリングシステムが子供の睡眠挙動をより確実にモニタリングするのを可能にする。
【０００９】
好ましくは、プロセッサは、他の生命徴候の変化を用いて事象を決定するように構成される。他の生命徴候は、例えば、心拍又は体温を含んでよい。他の生命徴候の入力によってもたらされる追加的な情報は、より確実な乳児モニタリングシステムをもたらす。追加的なデータを活用することによって、動作センサからのデータの間違った解析及び／又は誤った警報を防止し得る。例えば、動作センサが動作を検出しないとき、乳児は、乳児がベッド内にいて呼吸していないか或いは乳児がベッドから取り出されたかのいずれかである。第１の状況では、親の即座の応答が必要とされ、従って、親に注意を喚起すべきであるのに対し、第２の状況では、親に注意を喚起する必要はない。体温のような、生命徴候からの追加的な情報を用いて、警報が提供されるべきか否かが決定されてよい。体温が検出されないとき又は環境の範囲内にある温度が検出されるとき、プロセッサは警報を提供しないように構成されてよい。何故ならば、乳児はベッド内に存在しない可能性が高いからである。しかしながら、温度が通常の体温で又はより高い若しくはより低い体温で測定されるが、環境温度よりも十分に上であるならば、プロセッサは警報を発してよい。この状況において、子供は高体温（ハイパーサーミア）にあるか或いは熱を有しているかのいずれかにおいてベッド内に存在し、呼吸していない可能性が高い。動作センサからのデータ及び生命徴候センサからのデータの両方を使用するようにプロセッサを構成することによって、事象をより正確に決定し得るし、誤った解釈の数を減少させ得る。
【００１０】
好適な実施態様において、プロセッサは、一連の小振幅動作、後続の中間振幅動作、及び後続の小振幅動作を、ベッド内にいる乳児及び落ち着きのない動き事象として分類するように構成される。分類動作の順序は、乳児が静かに横たわっていること並びに体の動き及び再度の胸部の動作が後続する胸部の動作のみが観察されることを示す。乳児は、静かに眠っているか或いは静かに覚醒しており、活動的な睡眠又は活動的な覚醒が後続し、そして、再び静かに眠り或いは静かに覚醒する可能性が、最も高い。これは乳児がベッド内におり且つ落ち着かないで眠っているという情報を親にもたらす。
【００１１】
他の好適な実施態様において、プロセッサは、一連の動きの不存在、後続の大振幅動作、及び後続の小振幅動作又は中間振幅動作を、乳児がベッドに置かれた事象として分類するように構成される。動き振幅の順序は、先ず動作がなく、乳児が行い得るよりも大きい動作が続き、最終的に、呼吸を示す胸部の動作が続くことを示す。これは、親に、乳児がベッドに置かれているという情報をもたらし、彼が眠っているにしろ覚醒しているにしろ静かに横たわっており、即座の注意を必要としないという情報をもたらす。
【００１２】
更なる好適な実施態様において、プロセッサは、一連の小振幅動作又は中間振幅動作、後続の大振幅動作、及び後続の動作の不存在を、乳児がベッドから取り出された事象として分類するように構成される。動き振幅の順序は、乳児が先ずベッド内に静かに横たわっていること、及び彼が手を振ること(waving)又は向きを変えること(turning  around)のように体を動かし始めることを示す。その後、乳児はベッドから取り出される。何故ならば、大振幅動作は、親が乳児をベッドから取り出すことのような、乳児自体が行い得るよりも大きい動作を示すからである。
【００１３】
好適な実施態様において、プロセッサは、一連の小振幅動作を、乳児がベッド内にいる事象として分類するように構成される。一連の小さな動き振幅は、呼吸のみが観察されること及びより大きな体の動きが観察されないことを示す。プロセッサは、このデータシーケンスを、その乳児がベッド内におり且つ静かに眠っているか或いは目を覚ましているものとして示す。これは親のための確認情報であり、親への警報を必要としない。
【００１４】
更なる好適な実施態様において、プロセッサは、一連の中間振幅動作及び後続の他の中間振幅動作を、乳児がベッド内で目を覚ましている事象として分類するように構成される。体の動作を表す中間振幅動作の連続的な順序は、乳児がベッド内で目を覚ましていることの表示である。これは親が乳児を見に行くことの信号であってよい。
【００１５】
有利には、プロセッサは、一連の分類事象に基づく統計を提供するように構成される。実時間データ提示の次に、一連の分類動作の分類に基づく分類事象を用いて、より長い期間に亘る子供の睡眠挙動を決定してよい。それを用いて、例えば、子供が日中及び夜間にどれぐらい長く寝るか、特定の挙動状態をどれぐらい長く取るかを決定し、或いは最適な睡眠時間及び乳児を起こす時を予測し得る。また、別の世話人がそれを用いて、子供のデータを同年齢の一群の子供と比較し得る。これは乳児の睡眠が少なすぎると思われるとき又は乳児の成長が予測よりも遅いときに有益である。
【００１６】
他の好適な実施態様において、プロセッサは、一連の分類事象に基づく統計を提供するように構成される。分類動作に基づく統計を提供することは、乳児が同年齢の他の子供と比べて頻繁に目を覚まし過ぎるならば或いは乳児の成長が十分でないならば、有用である。中間振幅動作として分類される多すぎる又は長すぎる時間間隔及び小振幅動作として分類される少なすぎる又は短すぎる時間間隔は、乳児が多くの場合に活動的に眠っている或いは活動的に目を覚ましていること及び彼が多くの場合に静かに眠らないことを示す。静かな睡眠又は深い睡眠は、学習と関連付けられる、従って、健康な成長のために必要である、情報を処理することに関連付けられる。
【００１７】
他の実施態様において、乳児モニタリングシステムは、事象を記録するように構成される。事象をログ（記録）することは、子供の睡眠挙動に関する情報を親に提供する。ログは、ある時間期間、例えば、２４時間の期間の間の、一連の事象を示す。それは乳児がその期間内でどれぐらい眠ったかに関する客観的なフィードバックを親に与える。
【００１８】
本発明のおしゃぶり(pacifier)のこれらの及び他の目的は、図面を参照して更に明らかにされ且つ記載される。
【図面の簡単な説明】
【００１９】
【図１】ある実施態様に従った構成を図式的に示す図である。
【図２】動きベクトルでオーバーレイされた写真画像を示す図である。
【図３】事象を分類する方法の実施態様を例示的に示すフローチャートである。
【図４】動作の幾つかの順序を模範的に示すグラフである。
【発明を実施するための形態】
【００２０】
図１は、本発明に従った乳児モニタリングシステム１０（乳児監視装置）を図式的に示している。システム１０は、ビデオカメラのような動作センサ１１と、動き推定器２１と、プロセッサ２２とを含む。乳児モニタリングシステム１０は、音を記録する追加的なセンサ、即ち、音センサ１２、及び／又は、心拍又は脈拍のような、生命徴候を検出する追加的なセンサ、即ち、生命徴候センサ１３を備え得る。乳児モニタリングシステム１０は、データ記憶装置２４も備え得る。本発明の機能は、ベッド１内の乳児の音及びビデオを記録して、それを親に実時間において提供する、一般的な乳児モニタリングシステム１０内に統合され或いは埋め込まれ得るし、或いは本発明の睡眠挙動の解析に適した乳児モニタリングシステム１０内に提供され得る。
【００２１】
乳児モニタリングシステム１０の目的は、ベッド１内の子供をモニタリング（監視）し、子供の睡眠挙動に関する情報を提供することである。動作センサ１１は、ベッド１内の乳児の一連の画像（画像のシーケンス）を検出するために配置される。動き推定器２１は、動作センサ１１によって検出される画像を用いて、２つの後続の画像からの動き振幅を計算し、且つ、動き振幅／動きを、小振幅動作（動き）、中間振幅動作（動き）、又は大振幅動作（動き）として分類する。動き推定器２１によって分類されるような分類動作（分類される動作）は、一連の小振幅動作、中間振幅動作、及び大振幅動作（小振幅動作、中間振幅動作、及び大振幅動作のシーケンス）を事象(event)として分類するために、プロセッサ２２に送られる。事象は、子供の睡眠挙動についてのプロセッサ２２の解釈である。ベッド１内の並びにベッド１に出入りする子供の動きを測定し且つ解析することによって、子供の睡眠挙動に関する情報を得ることができる。
【００２２】
動作センサ１１の隣にある音センサ１２は、システムが、動作に加えて音をモニタリングするのを可能にする。音センサ１２は、プロセッサ２２に追加的な入力をもたらす。結果的に、プロセッサ２２は、動き推定器から受信する一連の小振幅動作、中間振幅動作、及び大振幅動作に基づき、並びに音センサから受信する音に基づき、事象を分類する。
【００２３】
生命徴候センサ１３という器具(appliance)は、より確実な乳児モニタリングシステムのための追加的な情報を提供する。生命徴候センサ１３は、別個のセンサであり得るが、生命徴候は、動作センサ１１によってもモニタリングされ得る。追加的なデータを活用することによって、運動センサからのデータの間違った解析及び／又は誤った警報を防止し得る。
【００２４】
プロセッサ２２は、実時間の又は格納されたデータを受信ユニット（図示せず）に通信するアンテナ２３を含む。部屋の外側にいる人、例えば、子供の親が、子供に気を配り得るよう、受信ユニット（図示せず）は、一般的に、乳児の部屋（図示せず）の外側、例えば、親ユニット又はスマートホンに配置される。プロセッサ２２は、分類動作及び分類事象をデータ記憶装置２４に転送して、分類動作の履歴のログを創り出す。各時間期間について、その時間期間の間に検出される少なくとも最大分類動作が格納される。
【００２５】
図２は、動き振幅／動きベクトルがオーバーレイされた写真を示している。動きベクトルは、一般的なＭＰＥＧビデオ符号化技法を用い動き推定器２１によって計算され、時間の経過における動作の視覚的な解釈を提示する。動きベクトルが大きければ大きいほど、動作はより大きい。動き振幅の計算は、周知ビデオ処理プロセスであり、ここでは更に明らかにされない。通常のビデオ処理のためには、動き振幅及び動作方向の両方が関連するが、乳児モニタリングのためには、動作の振幅のみが決定される必要がある。
【００２６】
図３は、事象を分類する方法のフローチャートを図式的に示している。ステップ１０１において、ベッド１内の乳児の画像が記録される。ステップ１０１は、動作センサ１１によって行われる。
【００２７】
ステップ１０２において、２つの連続的な画像から動き振幅が計算される。このステップでは、動作の大きさ及び方向が決定される。動き振幅は、動作の大きさを含む。
【００２８】
ステップ１０３において、ステップ１０２からの動き振幅は、分類動作に分類される。２つの異なる分類、即ち、小振幅動作、中間振幅動作、及び大振幅動作が区別される。動き推定器２１は、乳児による呼吸を小さな動作として分類し、ベビーベッド内の乳児の体の動きを中間の動作として分類し、ベビーベッド内で出入りする乳児の体の動きを大きな動作として分類する。小さな動作、中間の動作、及び大きな動作における分類は、子供の睡眠挙動についての洞察を親にもたらす。胸部の動き、即ち、呼吸は、小振幅動作として分類される。小振幅動作は、静かな睡眠を表す。何故ならば、体の動きは、動作センサによって検出されないからである。中間振幅動作は、活動的な睡眠又は覚醒(alertness)を表す。覚醒は、発声(vocalization)を含んでよい。呼吸動作は存在するが、体の動きによって目立たなくされる。大振幅動作は、親がベッドから乳児を取り出すこと又はベッド内に乳児を置くことを表す。小さな及び中間振幅動作は、大振幅動作によって目立たなくされ／覆される。明瞭性のために、動作が検出されないならば、動き推定器は動作の不存在を分類する。
【００２９】
一連の動き振幅の例が図４に示されている。一連の動き振幅は、動作解析のための一般的なＭＰＥＧビデオ符号化技法を用いて計算される。一連の動き振幅の例が図４に示されている。一連の動き振幅は、動作解析のための一般的なＭＰＥＧビデオ符号化技法を用いて計算される。ＭＰＥＧビデオエンコーダは、圧縮中にＭＰＥＧビデオエンコーダによってビデオ信号上で実施される動き推定に基づき一連の動きを分類するように構成される、動き推定器を含む。ＭＰＥＧビデオエンコーダ中の動き推定器が動きベクトルを計算するので、動き振幅をビデオ信号の圧縮中にＭＰＥＧビデオエンコーダから抽出し得る。これらの動きベクトルから、動き振幅又は分類動作のみが、本発明の目的のために格納される必要があり、ＭＰＥＧビデオ符号化中に動き推定器によって同様に通常得られる動きベクトルの方向は格納される必要がない。水平軸には時間が記入（プロット）されている。動き振幅は垂直軸に記入されている。測定中、動き振幅は、概ね、−０．２〜０．２の間にある。この動き振幅は、小さな動き振幅を表し、プロセッサ２２によって小振幅動作として分類される。小振幅動作は、呼吸動作として評価される。水平軸上の２０００付近に、多数の大きな動き振幅が観察される。これらの大きな動き振幅は、プロセッサ２２によって大振幅動作として分類される。大振幅動作は、ベッド１の内側からベッドの外側への或いはその逆の動作として評価される。他の動き振幅は、中間振幅動作として分類される。中間振幅動作は、ベッド内の乳児の動きとして評価される。プロセッサ２２の感度設定に依存して、単一の時間枠の中間振幅動作を無視し得るし、或いはデータ記憶装置２４内にログ（記録）される。プロセッサ２２は、これらの後続の分類動作の順序を、ベッド事象における乳児、それに続く親の干渉、それに続くベッド事象における乳児として分類する。親は、例えば、乳児のベッド１に来て、乳児をブランケットで覆い或いは乳児の顔から対象(subject)を取り除いてよい。
【００３０】
ステップ１０２及び１０３は、動き推定器によって行われる。分類動作は、ステップ１０５のための並びにステップ１０６のための入力である。
【００３１】
分類動作は処理されてステップ１０５に至る。ステップ１０５において、プロセッサ２２は、一連の分類動作を受信し、引き続き、多数の後続の分類動作に基づき事象を分類する。プロセッサ２２は、例えば、一連の小振幅動作、後続の中間振幅動作、後続の小振幅動作を、ベッド内の乳児及び落ち着きのない動き事象として分類する。分類動作の順序は、乳児が静かに横たわっていること並びに体の動き及び再度の胸部の動作が後続する胸部の動作のみが観察されることを示す。乳児は、静かに眠っている或いは静かに覚醒しており、活動的な睡眠又は活動的な覚醒が後続し、そして、再び静かに眠り或いは静かに覚醒する可能性が、最も高い。これは乳児がベッド内におり且つ落ち着かないで眠っているという情報を親にもたらす。他の例は、一連の動きの不存在、後続の大振幅動作、後続の小振幅動作又は中間振幅動作（動作の不存在、後続の大振幅動作、後続の小振幅動作又は中間振幅動作のシーケンス）であり、プロセッサ２２は、乳児がベッド事象に置かれているとして分類する。動き振幅の順序は、先ず動作がなく、乳児が行い得るよりも大きな動作が続き、最後に、呼吸を示す胸部の動作が続くことを示す。これは、親に、乳児がベッドに置かれているという情報をもたらし、彼が眠っているにしろ或いは覚醒しているにしろ静かに横たわっており、即座の注意を必要としないという情報をもたらす。
【００３２】
ステップ１０５は、ステップ１０４からの追加的な入力を受信してよい。ステップ１０４において、音は音センサ１２によって子供の近くで記録され、プロセッサ２２に送られる。ステップ１０５において、プロセッサ２２は、動き推定器２２から受信する一連の小振幅動作、中間振幅動作、及び大振幅動作に基づき、並びに音センサ１２から受信する音に基づき、事象を分類する。動作センサ１１のみを含む乳児モニタリングシステム１０は、分類動作の間でベッド１内の乳児の挙動を区別し得るので、乳児モニタリングシステム１０は、乳児が静かに横たわっているか或いは動いているかを決定する。プロセッサ２２の二重入力は、乳児モニタリングシステム１０が、５つの挙動状態、即ち、静かな睡眠、活動的な睡眠、静かな覚醒、活動的な覚醒、及び泣いている状態の間を区別するのを可能にする。よって、音センサ１２のような、追加的なセンサの存在は、乳児モニタリングシステムが子供の睡眠挙動をより確実にモニタリングするのを可能にする。分類事象はデータ記憶装置２４に送られる。
【００３３】
ステップ１０５からのデータ、分類事象、及びステップ１０３からの分類動作は、ステップ１０６においてデータ記憶装置２４内に格納される。分類動作は、一連の分類動作（分類動作のシーケンス）に基づき事象を分類するために利用可能である。分類動作及び分類事象は、ベッド１内の子供の睡眠挙動についての洞察を親に与えるために利用可能である。それは乳児がどのように寝たかについての客観的なフィードバックを親にもたらす。分類動作を格納する代わりに、一連の動き振幅を格納し得る、即ち、各時間期間の間に直面する平均又は最大の動き振幅を表す一連の分類動作の代わりに、測定される動き振幅を格納する。
【図１】
2017503566.tif 000003
【図２】
2017503566.tif 000004
【図３】
2017503566.tif 000005
【図４】
2017503566.tif 000006
【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
ベビーベッド内の乳児をモニタリングする乳児モニタリング装置であって、
乳児の一連の動きを検出するためのビデオ信号をもたらすように構成されるビデオカメラと、
該ビデオカメラから受信する前記一連の動きを分類する動き推定器と、
該動き推定器から受信する小振幅動作、中間振幅動作、及び大振幅動作に基づき、事象を分類するプロセッサとを含み、
当該乳児モニタリング装置は、前記動き推定器を含むＭＰＥＧビデオエンコーダを含み、前記動き推定器は、圧縮中に前記ＭＰＥＧビデオエンコーダによって前記ビデオ信号の上で実施される動き推定に基づき、前記ビデオカメラから受信する前記一連の動きを、小振幅動作、中間振幅動作、及び大振幅動作に分類するように構成される、
乳児モニタリング装置。
【請求項２】
動き推定器は、乳児による呼吸を、小振幅動作として分類し、前記ベビーベッド内の乳児の体の動きを、中間振幅動作として分類し、前記ベビーベッドに出入りする乳児の体の動きを、大振幅動作として分類する、請求項１に記載の乳児モニタリング装置。
【請求項３】
当該乳児モニタリングシステムは、音センサを含み、前記プロセッサは、前記音センサから受信する音に基づき、並びに前記動き推定器から受信する一連の小振幅動作、中間振幅動作、及び振幅動作に基づき、事象を分類する、請求項２に記載の乳児モニタリング装置。
【請求項４】
前記プロセッサは、他の生命徴候の変化を用いて前記事象を決定するように構成される、請求項２に記載の乳児モニタリング装置。
【請求項５】
前記プロセッサは、小振幅動作、後続の中間振幅動作、及び後続の小振幅動作のシーケンスを、ベッド内にいる乳児及び落ち着きのない動き事象として分類するように構成される、請求項１、２又は３に記載の乳児モニタリング装置。
【請求項６】
前記プロセッサは、動作の不存在、後続の大振幅動作、及び後続の小振幅動作又は中間振幅動作のシーケンスを、乳児がベッドに置かれた事象として分類するように構成される、請求項１、２又は３に記載の乳児モニタリング装置。
【請求項７】
前記プロセッサは、小振幅動作又は中間振幅動作、後続の大振幅動作、及び後続の動作の不存在のシーケンスを、乳児がベッドから取り出された事象として分類するように構成される、請求項１、２又は３に記載の乳児モニタリング装置。
【請求項８】
前記プロセッサは、一連の小振幅動作及び中間振幅動作を、乳児がベッド内にいる事象として分類するように構成される、請求項１、２又は３に記載の乳児モニタリング装置。
【請求項９】
前記プロセッサは、中間振幅動作及び後続の他の中間振幅動作のシーケンスを、乳児がベッド内で目を覚ましている事象として分類するように構成される、請求項１、２又は３に記載の乳児モニタリング装置。
【請求項１０】
前記プロセッサは、分類事象のシーケンスに基づく統計をもたらすように構成される、請求項１乃至９のうちのいずれか１項に記載の乳児モニタリング装置。
【請求項１１】
前記プロセッサは、分類動作のシーケンスに基づく統計をもたらすように構成される、請求項１乃至１０のうちのいずれか１項に記載の乳児モニタリング装置。
【請求項１２】
前記プロセッサは、事象を記録するように構成される、請求項１乃至１１のうちのいずれか１項に記載の乳児モニタリング装置。
【手続補正２】
【補正対象書類名】明細書
【補正対象項目名】０００４
【補正方法】変更
【補正の内容】
【０００４】
ＵＳ２００７／０１５６０６０Ａ１は、眠っている対象のライブ画像を記録するビデオレコーダを含み、記録される画像を携帯装置に実時間において送信する送信器と、送信器と通信する演算装置（コンピュータ装置）とを含み、送信される画像を実時間において受信する受信器と、受信する画像を実時間において解析し且つ対象の状態についての情報を実時間において自動的に推論するプロセッサと、対象の状態についてプロセッサによって推論される情報を実時間において表示するモニタとを含む、睡眠を自動的にモニタリングする装置を開示している。
ＥＰ２５２４６４７Ａ１は、人の心拍を検出するために構成される心拍検出手段と、人の体の部分の動きを検出するために構成される動き検出手段であって、検出される動きは、体の骨格筋によって引き起こされる、動き検出手段と、検出される心拍及び検出される体の部分の動きを記録するために構成される記録手段と、記録される人の心拍を少なくとも１つの心拍等級に分類するために構成される心拍分類手段と、記録される動きを少なくとも１つの動き等級に分類するために構成される動き分類手段と、少なくとも１つの心拍等級及び少なくとも１つの動き等級に少なくとも部分的に基づき人の睡眠段階及び／又は睡眠事象を決定するために構成される決定手段とを含む、人の睡眠段階を決定するシステム及び方法を開示している。
ＵＳ２００６／０１６９２８２Ａ１は、被験者の体からの呼吸信号の変動を検出する呼吸信号検出手段と、呼吸信号変動のみを用いて複数の睡眠段階を決定する睡眠段階決定手段とを含む、睡眠段階決定装置を開示している。この発明の睡眠段階決定装置は、複数の生物学的信号を検出する必要を排除し得るし、比較的容易に検出可能な呼吸信号変動のみを検出するように設計される単純化されたセンサ及び回路構成を有し得る。これは検出エラーを減少させ且つ増大された決定精度又は信頼性を達成するのを可能にする。
【国際調査報告】
2017503566.tif 000007
2017503566.tif 000008
2017503566.tif 000009